(57)【特許請求の範囲】
【請求項１】
ＲＦ−ＩＤメディアを収容するＲＦ−ＩＤメディア用カバー部材であって、
前記ＲＦ−ＩＤメディアを収容した場合に該ＲＦ−ＩＤメディアの表裏のうち一方の面に対向する中空の第１の筐体部と、
前記ＲＦ−ＩＤメディアを収容した場合に該ＲＦ−ＩＤメディアの表裏のうち他方の面に対向する中空の第２の筐体部と、
前記第１の筐体部の内部と前記第２の筐体部の内部とを連通する連通部とを有し、
前記第１の筐体部と前記第２の筐体部との間に、前記第１及び第２の筐体部、並びに前記連通部によって、前記ＲＦ−ＩＤメディアを収容する収容領域を形成し、
前記連通部を介して連通する前記第１及び第２の筐体部の内部に、流動性を具備する電磁波遮断材が前記第１及び第２の筐体部のいずれか一方の少なくとも一部に存在し、かつ、他方に存在しない量だけ収容されているＲＦ−ＩＤメディア用カバー部材。
【請求項２】
請求項１に記載のＲＦ−ＩＤメディア用カバー部材において、
前記第１の筐体部と前記第２の筐体部との間にて当該第１及び第２の筐体部とそれぞれ対向する中空の第３の筐体部を有し、
前記連通部は、前記第１及び第２の筐体部の内部と前記第３の筐体部の内部とを連通し、
前記第１の筐体部と前記第３の筐体部との間に、前記第１及び第３の筐体部、並びに前記連通部によって、前記ＲＦ−ＩＤメディアを収容する第１の収容領域を形成し、
前記第２の筐体部と前記第３の筐体部との間に、前記第２及び第３の筐体部、並びに前記連通部によって、前記ＲＦ−ＩＤメディアを収容する第２の収容領域を形成し、
前記電磁波遮断材が、前記連通部を介して連通する前記第１、第２及び第３の筐体部の内部に、前記第１及び第２の筐体部のいずれか一方の全部に存在し、かつ、前記第３の筐体部の少なくとも一部に存在する量だけ収容されているＲＦ−ＩＤメディア用カバー部材。
【発明の詳細な説明】
【技術分野】
【０００１】
本発明は、非接触状態にて情報の書き込み及び／または読み出しが可能なＲＦ−ＩＤメディアを収容するＲＦ−ＩＤメディア用カバー部材に関する。
【背景技術】
【０００２】
昨今、情報化社会の進展に伴って、情報をカードに記録し、該カードを用いた情報管理や決済等が行われている。また、商品等に貼付されるタグやラベルに情報を記録し、このタグやラベルを用いての商品等の管理も行われている。
【０００３】
このようなカードやタグ、ラベルを用いた情報管理においては、カードやタグ、ラベルに対して非接触状態にて情報の書き込み及び読み出しを行うことが可能なＩＣチップが搭載された非接触型ＩＣカードや非接触型ＩＣタグ、非接触型ＩＣラベルがその優れた利便性から急速な普及が進みつつある。
【０００４】
非接触状態にて情報の書き込み及び読み出しが可能な非接触型ＩＣカードや非接触型ＩＣタグ、非接触型ＩＣラベルにおいては、近年、小型化及び通信可能距離を確保するために、２．４５ＧＨｚの周波数帯を利用して通信を行う微細なＩＣチップが用いられることが多くなってきている。このような微細なＩＣチップを用いた場合、ＩＣチップに導電性のアンテナを接続することにより、ＩＣチップの通信可能距離を延ばすことができる。
【０００５】
図１１は、２．４５ＧＨｚの周波数帯を利用して通信を行うＩＣチップが搭載された非接触型ＩＣカードの一例を示す図であり、（ａ）は内部構造を示す図、（ｂ）は（ａ）に示したＡ−Ａ’断面図である。
【０００６】
本構成例は図１１に示すように、樹脂シート３１５上に、互いに直列に並ぶように所定の間隔を有して形成された２つの帯状の導体３１２ａ，３１２ｂからなるアンテナ部３１２が設けられるとともに、この２つの導体３１２ａ，３１２ｂに接続されるように、非接触状態にて情報の書き込み及び読み出しが可能なＩＣチップ３１１が搭載されたインレット３１０が、複数の層からなるカード基材３２０の複数の層間に埋め込まれて構成されている。
【０００７】
上記のように構成された非接触型ＩＣカード３００においては、外部に設けられた情報書込／読出装置（不図示）に近接させることにより、情報書込／読出装置にて発生した電波にアンテナ部３１２が共振し、この共振によってアンテナ部３１２に電流が流れ、この電流がＩＣチップ３１１に供給され、それにより、非接触状態において、情報書込／読出装置からＩＣチップ３１１に情報が書き込まれたり、ＩＣチップ３１１に書き込まれた情報が情報書込／読出装置にて読み出されたりする。
【０００８】
また、上述したような非接触型ＩＣカードとしては、電磁誘導を用いて情報の書き込みや読み出しを行うものも用いられている。
【０００９】
図１２は、電磁誘導によって情報の書き込みや読み出しを行う非接触型ＩＣカードの一例を示す図であり、（ａ）は内部構造を示す図、（ｂ）は（ａ）に示したＡ−Ａ’断面図である。
【００１０】
本構成例は図１２に示すように、樹脂シート４１５上に、コイル状の導電性アンテナ４１２が形成されるとともに、アンテナ４１２の両端に形成された接点４１３に接続されるように、非接触状態にて情報の書き込み及び読み出しが可能なＩＣチップ４１１が搭載されたインレット４１０が、複数の層からなるカード基材４２０の複数の層間に埋め込まれて構成されている。
【００１１】
上記のように構成された非接触型ＩＣカード４００においては、外部に設けられた情報書込／読出装置（不図示）に近接させることにより、情報書込／読出装置にて発生した磁界による電磁誘導によってアンテナ４１２に電流が流れ、この電流がＩＣチップ４１１に供給され、それにより、非接触状態において、情報書込／読出装置からＩＣチップ４１１に情報が書き込まれたり、ＩＣチップ４１１に書き込まれた情報が情報書込／読出装置にて読み出されたりする。
【００１２】
ここで、上述したような非接触型ＩＣカード３００，４００においては、金属等の導電体上に載置された場合、情報の書き込み及び読み出しを正確に行うことができなくなってしまう。
【００１３】
図１１に示した非接触型ＩＣカード３００においては、金属等の導電体上に載置された場合、情報書込／読出装置にて発生した電波が導電体にて反射し、この反射による電波が非接触型ＩＣカード３００のアンテナ部３１２や情報書込／読出装置のアンテナ（不図示）にて受信され、これがノイズとなって情報の書き込み及び読み出しを正確に行うことができなくなってしまう。
【００１４】
また、図１２に示した非接触型ＩＣカード４００においては、金属等の導電体上に載置された場合、情報書込／読出装置にて発生した磁界が導電体にも作用して導電体にうず電流が発生し、その結果、電磁誘導を生じさせるための電力が損失し、情報の書き込み及び読み出しを正確に行うことができなくなってしまう。
【００１５】
そこで、図１２に示したように電磁誘導によって情報の書き込みや読み出しを行う非接触型ＩＣカードの一方の面に磁性体を付与し、この磁性体のシールド効果によって磁束の漏れを小さくし、それにより、金属等の導電体上に載置された場合に情報の書き込み及び読み出しを正確に行うことができなくなってしまうことを回避する技術が考えられている（例えば、特許文献１参照。）。
【００１６】
また、図１１に示したように電波に共振することにより情報の書き込みや読み出しを行う非接触型ＩＣカード３００についても同様に、非接触型ＩＣカード３００の一方の面に、電磁波を遮断する電磁波遮蔽材を付与しておくことにより、金属等の導電体上に載置された場合であっても情報の書き込み及び読み出しを正確に行うことができなくなってしまうことを回避することが考えられる。
【特許文献１】特開平８−１６７４５号公報
【発明の開示】
【発明が解決しようとする課題】
【００１７】
しかしながら、上述したように、非接触型ＩＣカードの一方の面に磁性体や電磁波遮蔽材を付与しておくものにおいては、金属等の導電体上に載置する場合に、磁性体や電磁波遮蔽材が付与された面を載置面として載置しなければ、上述したような効果を得ることができないため、載置方向が決められてしまい使い勝手が悪いものとなってしまうという問題点がある。
【００１８】
本発明は、上述したような従来の技術が有する問題点に鑑みてなされたものであって、非接触型ＩＣカード等のＲＦ−ＩＤメディアを金属等の導電体上に載置する場合であってもその載置する方向が規制されることなく情報の書き込み及び読み出しを可能とするＲＦ−ＩＤメディア用カバー部材を提供することを目的とする。
【課題を解決するための手段】
【００１９】
上記目的を達成するために本発明は、
ＲＦ−ＩＤメディアを収容するＲＦ−ＩＤメディア用カバー部材であって、
前記ＲＦ−ＩＤメディアを収容した場合に該ＲＦ−ＩＤメディアの表裏のうち一方の面に対向する中空の第１の筐体部と、
前記ＲＦ−ＩＤメディアを収容した場合に該ＲＦ−ＩＤメディアの表裏のうち他方の面に対向する中空の第２の筐体部と、
前記第１の筐体部の内部と前記第２の筐体部の内部とを連通する連通部とを有し、
前記第１の筐体部と前記第２の筐体部との間に、前記第１及び第２の筐体部、並びに前記連通部によって、前記ＲＦ−ＩＤメディアを収容する収容領域を形成し、
前記連通部を介して連通する前記第１及び第２の筐体部の内部に、流動性を具備する電磁波遮断材が前記第１及び第２の筐体部のいずれか一方の少なくとも一部に存在し、かつ、他方に存在しない量だけ収容されている。
【００２０】
上記のように構成された本発明においては、ＲＦ−ＩＤメディアを収容して金属等の導電体上に載置する場合、ＲＦ−ＩＤメディアの表裏にそれぞれ対向する第１及び第２の筐体部のうち、第１の筐体部を載置面として載置すると、第１及び第２の筐体部の内部に収容された電磁波遮断材が連通部を介して第１の筐体部の内部に流れ込み、それにより、導電体への載置面側となる第１の筐体部の内部には電磁波遮断材が存在し、導電体への載置状態における上面側となる第２の筐体部の内部には電磁波遮断材が存在しない状態となる。そのため、導電体への載置状態における上面側から情報の書き込みあるいは読み出しを行った場合、第１の筐体部内に存在する電磁波遮断材によって導電体との間にて電磁波が遮断され、導電体からのノイズの影響を受けたり電磁誘導を生じさせるための電力が損失したりすることなく情報の書き込みあるいは読み出しが正確に行われることになる。また、第１及び第２の筐体部のうち、第２の筐体部を載置面として載置すると、第１及び第２の筐体部の内部に収容された電磁波遮断材が連通部を介して第２の筐体部の内部に流れ込み、それにより、導電体への載置面側となる第２の筐体部の内部には電磁波遮断材が存在し、導電体への載置状態における上面側となる第１の筐体部の内部には電磁波遮断材が存在しない状態となる。そのため、この場合においても、導電体への載置状態における上面側から情報の書き込みあるいは読み出しを行った場合、第２の筐体部内に存在する電磁波遮断材によって導電体との間にて電磁波が遮断され、導電体からのノイズの影響を受けたり電磁誘導を生じさせるための電力が損失したりすることなく情報の書き込みあるいは読み出しが正確に行われることになる。
【００２１】
また、前記第１の筐体部と前記第２の筐体部との間にて当該第１及び第２の筐体部とそれぞれ対向する中空の第３の筐体部を有し、
前記連通部は、前記第１及び第２の筐体部の内部と前記第３の筐体部の内部とを連通し、
前記第１の筐体部と前記第３の筐体部との間に、前記第１及び第３の筐体部、並びに前記連通部によって、前記ＲＦ−ＩＤメディアを収容する第１の収容領域を形成し、
前記第２の筐体部と前記第３の筐体部との間に、前記第２及び第３の筐体部、並びに前記連通部によって、前記ＲＦ−ＩＤメディアを収容する第２の収容領域を形成し、
前記電磁波遮断材が、前記連通部を介して連通する前記第１、第２及び第３の筐体部の内部に、前記第１及び第２の筐体部のいずれか一方の全部に存在し、かつ、前記第３の筐体部の少なくとも一部に存在する量だけ収容されている。
【００２２】
このような構成とした場合は、第１及び第２の収容領域にそれぞれＲＦ−ＩＤメディアを収容して第１及び第２の筐体部のうち、第１の筐体部を載置面として載置すると、第１、第２及び第３の筐体部の内部に収容された電磁波遮断材が連通部を介して第１及び第３の筐体部の内部に流れ込み、それにより、導電体への載置面側となる第１の筐体部の内部、並びに第１の収容領域と第２の収容領域との間に介在する第３の筐体部の内部には電磁波遮断材が存在し、導電体への載置状態における上面側となる第２の筐体部の内部には電磁波遮断材が存在しない状態となる。そのため、導電体への載置状態における上面側から情報の書き込みあるいは読み出しを行った場合、第２の収容領域に収容されたＲＦ−ＩＤメディアにおいては、第１及び第３の筐体部内に存在する電磁波遮断材によって導電体との間にて電磁波が遮断され、導電体からのノイズの影響を受けたり電磁誘導を生じさせるための電力が損失したりすることなく情報の書き込みあるいは読み出しが正確に行われることになり、また、第１の収容領域に収容されたＲＦ−ＩＤメディアにおいては、第３の筐体部内に存在する電磁波遮断材によって電磁波が遮断され、情報の書き込みや読み出しは行われない。また、第１及び第２の筐体部のうち、第２の筐体部を載置面として載置すると、第１、第２及び第３の筐体部の内部に収容された電磁波遮断材が連通部を介して第２及び第３の筐体部の内部に流れ込み、それにより、導電体への載置面側となる第２の筐体部の内部、並びに第１の収容領域と第２の収容領域との間に介在する第３の筐体部の内部には電磁波遮断材が存在し、導電体への載置状態における上面側となる第１の筐体部の内部には電磁波遮断材が存在しない状態となる。そのため、導電体への載置状態における上面側から情報の書き込みあるいは読み出しを行った場合、第１の収容領域に収容されたＲＦ−ＩＤメディアにおいては、第２及び第３の筐体部内に存在する電磁波遮断材によって導電体との間にて電磁波が遮断され、導電体からのノイズの影響を受けたり電磁誘導を生じさせるための電力が損失したりすることなく情報の書き込みあるいは読み出しが正確に行われることになり、また、第２の収容領域に収容されたＲＦ−ＩＤメディアにおいては、第３の筐体部内に存在する電磁波遮断材によって電磁波が遮断され、情報の書き込みや読み出しは行われない。
【発明の効果】
【００２３】
以上説明したように本発明においては、第１の筐体部を載置面として載置すると、載置面側となる第１の筐体部内に電磁波遮断材が流れ込み、また、第２の筐体部を載置面として載置すると、載置面側となる第２の筐体部内に電磁波遮断材が流れ込む構成としたため、ＲＦ−ＩＤメディアの表裏にそれぞれ対向する第１及び第２の筐体部のうち、載置面側となる筐体部に電磁波遮断材が存在することになり、それにより、ＲＦ−ＩＤメディアを金属等の導電体上に載置する場合であってもその載置する方向が規制されることなく情報の書き込み及び読み出しを行うことができる。
【００２４】
また、第１の筐体部と第２の筐体部との間にて第１及び第２の筐体部とそれぞれ対向する中空の第３の筐体部を有し、この第３の筐体部と第１の筐体部及び第２の筐体部との間にそれぞれ、ＲＦ−ＩＤメディアを収容する第１の収容領域及び第２の収容領域を形成するものにおいては、第１の収容領域に収容されたＲＦ−ＩＤメディアと第２の収容領域に収容されたＲＦ−ＩＤメディアのうち、載置方向上面側となるＲＦ−ＩＤメディアのみに対して選択的に情報の書き込み及び読み出しを行うことができる。
【発明を実施するための最良の形態】
【００２５】
以下に、本発明の実施の形態について図面を参照して説明する。
【００２６】
（第１の実施の形態）
図１は、本発明のＲＦ−ＩＤメディア用カバー部材の第１の実施の形態を示す図であり、（ａ）は上面図、（ｂ）は（ａ）に示したＡ−Ａ’断面図である。
【００２７】
本形態は図１に示すように、互いに容積が等しい中空の第１の筐体部１１と中空の第２の筐体部１２とが互いに対向するように設けられ、筐体部１１の内部と筐体部１２の内部とが、筐体部１１，１２の３辺に設けられた連通部１３によって連通して構成されている。そして、互いに対向する筐体部１１，１２と連通部１３とによって囲まれた空間が、ＲＦ−ＩＤメディアが収容される収容領域１４となっている。すなわち、筐体部１１，１２と連通部１３とによってＲＦ−ＩＤメディアが収容される収容領域１４が形成され、この収容領域１４にＲＦ−ＩＤメディアが収容された場合、筐体部１１はＲＦ−ＩＤメディアの表裏のうちの一方の面と対向し、筐体部１２はＲＦ−ＩＤメディアの表裏のうちの他方の面と対向することになる。また、連通部１３を介して連通する筐体部１１，１２の内部には電磁波遮断材となる水１５が収容されている。この水１５の量は、筐体部１１，１２の容積と連通部１３の容積とを加算した容積の半分となっている。そのため、例えば、図１に示すように、筐体部１２を下面側とした場合、筐体部１２内の全てと連通部１３内の半分が水１５で埋まるようになる。
【００２８】
以下に、上記のように構成されたＲＦ−ＩＤメディア用カバー部材の使用方法について説明する。
【００２９】
図２は、図１に示したＲＦ−ＩＤメディア用カバー部材に収容される非接触型ＩＣカードの一構成例を示す図であり、（ａ）は内部構造を示す図、（ｂ）は（ａ）に示したＡ−Ａ’断面図である。
【００３０】
本構成例は図２に示すように、樹脂シート１１５上に、互いに直列に並ぶように所定の間隔を有して形成された２つの帯状の導体１１２ａ，１１２ｂからなるアンテナ部１１２が設けられるとともに、この２つの導体１１２ａ，１１２ｂに接続されるように、非接触状態にて情報の書き込み及び読み出しが可能なＩＣチップ１１１が搭載されたインレット１１０が、複数の層からなるカード基材１２０の複数の層間に埋め込まれて構成されている。
【００３１】
上記のように構成された非接触型ＩＣカード１００においては、外部に設けられた情報書込／読出装置（不図示）に近接させることにより、情報書込／読出装置にて発生した電波にアンテナ部１１２が共振し、この共振によってアンテナ部１１２に電流が流れ、この電流がＩＣチップ１１１に供給され、それにより、非接触状態において、情報書込／読出装置からＩＣチップ１１１に情報が書き込まれたり、ＩＣチップ１１１に書き込まれた情報が情報書込／読出装置にて読み出されたりする。
【００３２】
図３は、図１に示したＲＦ−ＩＤメディア用カバー部材に図２に示した非接触型ＩＣカード１００を収容して金属上に載置した状態を示す図である。
【００３３】
まず、図３（ａ）に示すように、図１に示したＲＦ−ＩＤメディア用カバー部材の収容領域１４に図２に示した非接触型ＩＣカード１００を収容し、筐体部１２を載置面として金属１９上に載置すると、筐体部１１，１２に収容された水１５が連通部１３を介して筐体部１２の内部に流れ込み、それにより、金属１９への載置面側となる筐体部１２の内部には水１５が存在し、金属１９への載置状態における上面側となる筐体部１１の内部には水１５が存在しない状態となる。
【００３４】
この状態において、金属１９への載置状態における上面側となる筐体部１１に情報書込／読出装置を近接させると、筐体部１１内には水１５が存在しないため、情報書込／読出装置にて発生した電波はそのまま非接触型ＩＣカード１００のアンテナ部１１２に届き、アンテナ部１１２が共振する。一方、金属１９への載置面側となる筐体部１２内には水１５が存在している。水１５は電波を吸収して遮断する働きをすることから、金属１９の載置面側となる筐体部１２内に水１５が存在している場合、情報書込／読出装置にて発生した電波がＲＦ−ＩＤメディア用カバー部材を介して金属１９に届くことはなく、また、情報書込／読出装置にて発生し、ＲＦ−ＩＤメディア用カバー部材の周囲の金属１９にて反射した電波が筐体部１２を介して非接触型ＩＣカード１００のアンテナ部１１２に届くことがなく、それにより、非接触型ＩＣカード１００のアンテナ部１１２が、金属１０からのノイズの影響を受けることなく情報書込／読出装置にて発生した電波のみに共振し、情報の書き込みあるいは読み出しが正確に行われることになる。
【００３５】
また、図３（ｂ）に示すように、図１に示したＲＦ−ＩＤメディア用カバー部材の収容領域１４に図２に示した非接触型ＩＣカード１００を収容し、筐体部１１を載置面として金属１９上に載置すると、筐体部１１，１２に収容された水１５が連通部１３を介して筐体部１１の内部に流れ込み、それにより、金属１９への載置面側となる筐体部１１の内部には水１５が存在し、金属１９への載置状態における上面側となる筐体部１２の内部には水１５が存在しない状態となる。
【００３６】
この状態において、金属１９への載置状態における上面側となる筐体部１２に情報書込／読出装置を近接させると、筐体部１２内には水１５が存在しないため、情報書込／読出装置にて発生した電波はそのまま非接触型ＩＣカード１００のアンテナ部１１２に届き、アンテナ部１１２が共振する。一方、金属１９への載置面側となる筐体部１１内には水１５が存在しているため、情報書込／読出装置にて発生した電波がＲＦ−ＩＤメディア用カバー部材を介して金属１９に届くことはなく、また、情報書込／読出装置にて発生し、ＲＦ−ＩＤメディア用カバー部材の周囲の金属１９にて反射した電波が筐体部１１を介して非接触型ＩＣカード１００のアンテナ部１１２に届くことがなく、それにより、非接触型ＩＣカード１００のアンテナ部１１２が、金属１０からのノイズの影響を受けることなく情報書込／読出装置にて発生した電波のみに共振し、情報の書き込みあるいは読み出しが正確に行われることになる。
【００３７】
このように、筐体部１１，１２のいずれを金属１９に対する載置面とした場合であっても、筐体部１１，１２のうち金属１９への載置面側の内部に水１５が存在することになるため、非接触型ＩＣカード１００を金属１９上に載置する場合、非接触型ＩＣカード１００を図１に示したＲＦ−ＩＤメディア用カバー部材に収容して金属１９上に載置すれば、その載置方向によらずに情報の書き込み及び読み出しを行うことができる。
【００３８】
なお、本形態においては、筐体１１，１２に収容される水１５の量を、筐体部１１，１２の容積と連通部１３の容積とを加算した容積の半分としているが、筐体部１１，１２のいずれか一方の少なくとも一部に一面を覆うように存在し、かつ、他方に存在しない量であればよい。これは、筐体部１１，１２の一方を載置面として載置した場合に、２つの筐体部１１，１２のうち、載置面側となる筐体部内にのみ水１５が存在するようにするためである。
【００３９】
（第２の実施の形態）
図４は、本発明のＲＦ−ＩＤメディア用カバー部材の第２の実施の形態を示す図であり、（ａ）は上面図、（ｂ）は（ａ）に示したＡ−Ａ’断面図である。
【００４０】
本形態は図４に示すように、中空の第１の筐体部２１と中空の第３の筐体部２６と中空の第２の筐体部２２とがそれぞれ互いに対向するように設けられ、筐体部２１の内部と筐体部２２の内部と筐体部２６の内部とが、筐体部２１，２２，２６の３辺に設けられた連通部２３によって連通して構成されている。そして、互いに対向する筐体部２１，２６と連通部２３とによって囲まれた空間が、ＲＦ−ＩＤメディアが収容される第１の収容領域２４ａとなり、互いに対向する筐体部２２，２６と連通部２３とによって囲まれた空間が、ＲＦ−ＩＤメディアが収容される第２の収容領域２４ｂとなっている。すなわち、筐体部２１，２６と連通部２３とによってＲＦ−ＩＤメディアが収容される収容領域２４ａが形成され、筐体部２２，２６と連通部２３とによってＲＦ−ＩＤメディアが収容される収容領域２４ｂが形成されることになる。なお、筐体部２１と筐体部２２とはその容積が互いに等しくなっている。また、連通部２３を介して連通する筐体部２１，２２，２６の内部には電磁波遮断材となる水２５が収容されている。この水２５の量は、筐体部２１，２２，２６の容積と連通部２３の容積とを加算した容積の半分となっている。そのため、例えば、図４に示すように、筐体部２２を下面側とした場合、筐体部２２内の全てと筐体部２６及び連通部２３内の半分が水２５で埋まるようになる。
【００４１】
以下に、上記のように構成されたＲＦ−ＩＤメディア用カバー部材の使用方法について説明する。
【００４２】
図５は、図４に示したＲＦ−ＩＤメディア用カバー部材に図２に示した非接触型ＩＣカード１００と同じ構成を有する非接触型ＩＣカードを収容して金属上に載置した状態を示す図である。
【００４３】
まず、図５（ａ）に示すように、図４に示したＲＦ−ＩＤメディア用カバー部材の収容領域２４ａ，２４ｂに図２に示した非接触型ＩＣカード１００と同じ構成を有する非接触型ＩＣカード１００ａ，１００ｂをそれぞれ収容し、筐体部２２を載置面として金属２９上に載置すると、筐体部２１，２２，２６に収容された水２５が連通部２３を介して筐体部２２，２６の内部に流れ込み、それにより、金属２９への載置面側となる筐体部２２の内部には水２５が存在し、金属２９への載置状態における上面側となる筐体部２１の内部には水２５が存在しない状態となる。また、筐体部２１と筐体部２２との間に設けられた筐体部２６においては、半分が水２５で埋まることになる。
【００４４】
この状態において、金属２９への載置状態における上面側となる筐体部２１に情報書込／読出装置を近接させると、筐体部２１内には水２５が存在しないため、情報書込／読出装置にて発生した電波はそのまま、収容領域２４ａに収容された非接触型ＩＣカード１００ａのアンテナ部に届き、アンテナ部が共振する。一方、金属２９への載置面側となる筐体部２２内及び非接触型ＩＣカード１００ａに対して金属２９側に設けられた筐体部２６内には水２５が存在している。水２５は電波を吸収して遮断する働きをすることから、金属２９への載置面側となる筐体部２２や非接触型ＩＣカード１００ａに対して金属２９側に設けられた筐体部２６内に水２５が存在している場合、情報書込／読出装置にて発生した電波がＲＦ−ＩＤメディア用カバー部材を介して金属２９に届くことはなく、また、情報書込／読出装置にて発生し、ＲＦ−ＩＤメディア用カバー部材の周囲の金属２９にて反射した電波が筐体２２を介して非接触型ＩＣカード１００ａのアンテナ部に届くことがない。また、ＲＦ−ＩＤメディア用カバー部材には、収容領域２４ｂに非接触型ＩＣカード１００ｂが収容されているが、情報書込／読出装置と非接触型ＩＣカード１００ｂとの間に介在する筐体部２６内に水２５が存在しているため、情報書込／読出装置にて発生した電波は非接触型ＩＣカード１００ｂのアンテナ部に届かない。これにより、非接触型ＩＣカード１００ａのアンテナ部においては、金属２９によって反射した電波や非接触型ＩＣカード１００ｂのアンテナ部による影響を受けることなく、情報書込／読出装置にて発生した電波のみに共振し、非接触型ＩＣカード１００ａに対して情報の書き込みあるいは読み出しが正確に行われることになる。一方、収容領域２４ｂに収容された非接触型ＩＣカード１００ｂにおいては、上述したように情報書込／読出装置にて発生した電波が筐体部２６内の水２５によって遮断されてアンテナ部に届かないため、情報の書き込みあるいは読み出しが行われることはない。
【００４５】
また、図５（ｂ）に示すように、図４に示したＲＦ−ＩＤメディア用カバー部材の収容領域２４ａ，２４ｂに図２に示した非接触型ＩＣカード１００と同じ構成を有する非接触型ＩＣカード１００ａ，１００ｂをそれぞれ収容し、筐体部２１を載置面として金属２９上に載置すると、筐体部２１，２２，２６に収容された水２５が連通部２３を介して筐体部２１，２６の内部に流れ込み、それにより、金属２９への載置面側となる筐体部２１の内部には水２５が存在し、金属２９への載置状態における上面側となる筐体部２２の内部には水２５が存在しない状態となる。また、筐体部２１と筐体部２２との間に設けられた筐体部２６においては、半分が水２５で埋まることになる。
【００４６】
この状態において、金属２９への載置状態における上面側となる筐体部２２に情報書込／読出装置を近接させると、筐体部２２内には水２５が存在しないため、情報書込／読出装置にて発生した電波はそのまま、収容領域２４ｂに収容された非接触型ＩＣカード１００ｂのアンテナ部に届き、アンテナ部が共振する。一方、金属２９への載置面側となる筐体部２１内及び非接触型ＩＣカード１００ｂに対して金属２９側に設けられた筐体部２６内には水２５が存在しているため、情報書込／読出装置にて発生した電波がＲＦ−ＩＤメディア用カバー部材を介して金属２９に届くことはなく、また、情報書込／読出装置にて発生し、ＲＦ−ＩＤメディア用カバー部材の周囲の金属２９にて反射した電波が筐体２１を介して非接触型ＩＣカード１００ｂのアンテナ部に届くことがない。また、ＲＦ−ＩＤメディア用カバー部材には、収容領域２４ａに非接触型ＩＣカード１００ａが収容されているが、情報書込／読出装置と非接触型ＩＣカード１００ａとの間に介在する筐体部２６内に水２５が存在しているため、情報書込／読出装置にて発生した電波は非接触型ＩＣカード１００ａのアンテナ部に届かない。これにより、非接触型ＩＣカード１００ｂのアンテナ部においては、金属２９によって反射した電波や非接触型ＩＣカード１００ａのアンテナ部による影響を受けることなく、情報書込／読出装置にて発生した電波のみに共振し、非接触型ＩＣカード１００ｂに対して情報の書き込みあるいは読み出しが正確に行われることになる。一方、収容領域２４ａに収容された非接触型ＩＣカード１００ａにおいては、上述したように情報書込／読出装置にて発生した電波が筐体部２６内の水２５によって遮断されてアンテナ部に届かないため、情報の書き込みあるいは読み出しが行われることはない。
【００４７】
このように、筐体部２１，２２のいずれを金属２９に対する載置面とした場合であっても、筐体部２１，２２のうち金属２９への載置面側の内部に水２５が存在するとともに、これら２つの筐体部２１，２２の間に設けられた筐体部２６にも水２５が存在することになるため、２つの収容領域２４ａ，２４ｂに収容された非接触型ＩＣカード１００ａ，１００ｂのうち、情報の書き込みあるいは読み出しを行いたい方が上面側となるようにＲＦ−ＩＤメディア用カバー部材を金属２９上に載置することにより、２つの収容領域２４ａ，２４ｂに収容された非接触型ＩＣカード１００ａ，１００ｂに対して選択的に情報の書き込みや読み出しを行うことができる。
【００４８】
なお、本形態においては、筐体２１，２２，２６に収容される水２５の量を、筐体部２１，２２，２６の容積と連通部２３の容積とを加算した容積の半分としているが、筐体部２１，２２のいずれか一方の全部に存在し、かつ、他方に存在せず、かつ、筐体部２６の少なくとも一部に一面を覆うように存在する量であればよい。これは、筐体部２１，２２の一方を載置面として載置した場合に、２つの筐体部２１，２２のうち、載置面側となる筐体部及び筐体部２６内にのみ水２５が存在するようにするためである。
【００４９】
また、上述した２つの実施の形態において、筐体部１１，１２，２１，２２を透明な材料から構成し、かつ、水１５，２５を着色することにより、それぞれ２つの筐体部１１，１２，２１，２２のうちいずれに水１５，２５が存在しているかを認識することができるようになる。これは、例えば、上述した実施の形態のように、それぞれ２つの筐体部１１，１２，２１，２２のうちいずれかを載置面として金属１９，２９上に載置するのではなく、それぞれ２つの筐体部１１，１２，２１，２２のうちいずれかに水１５，２５を流れ込ませた後に、ＲＦ−ＩＤメディア用カバー部材を立てて使用する場合等に有効なものとなる。
【００５０】
また、上述した２つの実施の形態においては、電磁波遮断材として水１５，２５を例に挙げて説明したが、本発明は、電波を遮断するものであれば水１５，２５に限らない。その場合、上述した第２の実施の形態において、２つの筐体部２１，２２の間に設けられた筐体部２６を、中空形状を有して連通部２３を介して筐体部２１，２２と連通し、筐体部２１，２２内に収容された水２５が流れ込む構成とするのではなく、電磁波遮断材を貼付したり塗布したりすることにより固定的に付与する構成としてもよい。また、上述した水１５，２５としては、真水であっても他の物質との混合溶液であっても、電波を遮断する構成となるものであればよい。
【００５１】
（第３の実施の形態）
図６は、本発明のＲＦ−ＩＤメディア用カバー部材の第３の実施の形態を示す図であり、（ａ）は上面図、（ｂ）は（ａ）に示したＡ−Ａ’断面図である。
【００５２】
本形態は図６に示すように、互いに容積が等しい中空の第１の筐体部１１と中空の第２の筐体部１２とが互いに対向するように設けられ、筐体部１１の内部と筐体部１２の内部とが、筐体部１１，１２の３辺に設けられた連通部１３によって連通して構成されている。そして、互いに対向する筐体部１１，１２と連通部１３とによって囲まれた空間が、ＲＦ−ＩＤメディアが収容される収容領域１４となっている。すなわち、筐体部１１，１２と連通部１３とによってＲＦ−ＩＤメディアが収容される収容領域１４が形成され、この収容領域１４にＲＦ−ＩＤメディアが収容された場合、筐体部１１はＲＦ−ＩＤメディアの表裏のうちの一方の面と対向し、筐体部１２はＲＦ−ＩＤメディアの表裏のうちの他方の面と対向することになる。また、連通部１３を介して連通する筐体部１１，１２の内部には電磁波遮断材となる磁性流体１７が収容されている。この磁性流体１７は、磁性微粒子を界面活性剤を用いて安定に分散させた水溶液であって、流動性を有し、ベース液として水や炭化水素油やふっ素油を用いたものが挙げられる。また、磁性流体１７の量は、筐体部１１，１２の容積と連通部１３の容積とを加算した容積の半分となっている。そのため、例えば、図１に示すように、筐体部１２を下面側とした場合、筐体部１２内の全てと連通部１３内の半分が磁性流体１７で埋まるようになる。
【００５３】
以下に、上記のように構成されたＲＦ−ＩＤメディア用カバー部材の使用方法について説明する。
【００５４】
図７は、図６に示したＲＦ−ＩＤメディア用カバー部材に収容される非接触型ＩＣカードの一構成例を示す図であり、（ａ）は内部構造を示す図、（ｂ）は（ａ）に示したＡ−Ａ’断面図である。
【００５５】
本構成例は図７に示すように、樹脂シート２１５上に、コイル状の導電性アンテナ２１２が形成されるとともに、アンテナ２１２の両端に形成された接点２１３に接続されるように、非接触状態にて情報の書き込み及び読み出しが可能なＩＣチップ２１１が搭載されたインレット２１０が、複数の層からなるカード基材２２０の複数の層間に埋め込まれて構成されている。
【００５６】
上記のように構成された非接触型ＩＣカード２００においては、外部に設けられた情報書込／読出装置（不図示）に近接させることにより、情報書込／読出装置にて発生した磁界による電磁誘導によってアンテナ２１２に電流が流れ、この電流がＩＣチップ２１１に供給され、それにより、非接触状態において、情報書込／読出装置からＩＣチップ２１１に情報が書き込まれたり、ＩＣチップ２１１に書き込まれた情報が情報書込／読出装置にて読み出されたりする。
【００５７】
図８は、図６に示したＲＦ−ＩＤメディア用カバー部材に図７に示した非接触型ＩＣカード２００を収容して金属上に載置した状態を示す図である。
【００５８】
まず、図８（ａ）に示すように、図６に示したＲＦ−ＩＤメディア用カバー部材の収容領域１４に図７に示した非接触型ＩＣカード２００を収容し、筐体部１２を載置面として金属１９上に載置すると、筐体部１１，１２に収容された磁性流体１７が連通部１３を介して筐体部１２の内部に流れ込み、それにより、金属１９への載置面側となる筐体部１２の内部には磁性流体１７が存在し、金属１９への載置状態における上面側となる筐体部１１の内部には磁性流体１７が存在しない状態となる。
【００５９】
この状態において、金属１９への載置状態における上面側となる筐体部１１に情報書込／読出装置を近接させると、筐体部１１内には磁性流体１７が存在しないため、情報書込／読出装置にて発生した磁界による電磁誘導によって非接触型ＩＣカード２００のアンテナ２１２に電流が発生する。一方、金属２９への載置面側となる筐体部２２内には磁性流体１７が存在しているため、磁性流体１７のシールド効果によって磁束の金属２９側への漏れが小さくなり、それにより、非接触型ＩＣカード２００に対して情報の書き込みあるいは読み出しが正確に行われることになる。
【００６０】
また、図８（ｂ）に示すように、図６に示したＲＦ−ＩＤメディア用カバー部材の収容領域１４に図７に示した非接触型ＩＣカード２００を収容し、筐体部１１を載置面として金属１９上に載置すると、筐体部１１，１２に収容された磁性流体１７が連通部１３を介して筐体部１１の内部に流れ込み、それにより、金属１９への載置面側となる筐体部１１の内部には磁性流体１７が存在し、金属１９への載置状態における上面側となる筐体部１２の内部には磁性流体１７が存在しない状態となる。
【００６１】
この状態において、金属１９への載置状態における上面側となる筐体部１２に情報書込／読出装置を近接させると、筐体部１２内には磁性流体１７が存在しないため、情報書込／読出装置にて発生した磁界による電磁誘導によって非接触型ＩＣカード２００のアンテナ２１２に電流が発生する。一方、金属２９への載置面側となる筐体部２１内には磁性流体１７が存在しているため、磁性流体１７のシールド効果によって磁束の金属２９側への漏れが小さくなり、それにより、非接触型ＩＣカード２００に対して情報の書き込みあるいは読み出しが正確に行われることになる。
【００６２】
このように、筐体部１１，１２のいずれを金属１９に対する載置面とした場合であっても、筐体部１１，１２のうち金属１９への載置面側の内部に磁性流体１７が存在することになるため、非接触型ＩＣカード２００を金属１９上に載置する場合、非接触型ＩＣカード２００を図６に示したＲＦ−ＩＤメディア用カバー部材に収容して金属１９上に載置すれば、その載置方向によらずに情報の書き込み及び読み出しを行うことができる。
【００６３】
なお、本形態においては、筐体１１，１２に収容される磁性流体１７の量を、筐体部１１，１２の容積と連通部１３の容積とを加算した容積の半分としているが、筐体部１１，１２のいずれか一方の少なくとも一部に一面を覆うように存在し、かつ、他方に存在しない量であればよい。これは、筐体部１１，１２の一方を載置面として載置した場合に、２つの筐体部１１，１２のうち、載置面側となる筐体部内にのみ磁性流体１７が存在するようにするためである。
【００６４】
（第４の実施の形態）
図９は、本発明のＲＦ−ＩＤメディア用カバー部材の第４の実施の形態を示す図であり、（ａ）は上面図、（ｂ）は（ａ）に示したＡ−Ａ’断面図である。
【００６５】
本形態は図９に示すように、中空の第１の筐体部２１と中空の第３の筐体部２６と中空の第２の筐体部２２とがそれぞれ互いに対向するように設けられ、筐体部２１の内部と筐体部２２の内部と筐体部２６の内部とが、筐体部２１，２２，２６の３辺に設けられた連通部２３によって連通して構成されている。そして、互いに対向する筐体部２１，２６と連通部２３とによって囲まれた空間が、ＲＦ−ＩＤメディアが収容される第１の収容領域２４ａとなり、互いに対向する筐体部２２，２６と連通部２３とによって囲まれた空間が、ＲＦ−ＩＤメディアが収容される第２の収容領域２４ｂとなっている。すなわち、筐体部２１，２６と連通部２３とによってＲＦ−ＩＤメディアが収容される収容領域２４ａが形成され、筐体部２２，２６と連通部２３とによってＲＦ−ＩＤメディアが収容される収容領域２４ｂが形成されることになる。なお、筐体部２１と筐体部２２とはその容積が互いに等しくなっている。また、連通部２３を介して連通する筐体部２１，２２，２６の内部には電磁波遮断材となる磁性流体２７が収容されている。この磁性流体２７は、第３の実施の形態にて示したものと同様に、磁性微粒子を界面活性剤を用いて安定に分散させた水溶液であって、流動性を有し、ベース液として水や炭化水素油やふっ素油を用いたものが挙げられる。また、磁性流体２７の量は、筐体部２１，２２，２６の容積と連通部２３の容積とを加算した容積の半分となっている。そのため、例えば、図９に示すように、筐体部２２を下面側とした場合、筐体部２２内の全てと筐体部２６及び連通部２３内の半分が磁性流体２７で埋まるようになる。
【００６６】
以下に、上記のように構成されたＲＦ−ＩＤメディア用カバー部材の使用方法について説明する。
【００６７】
図１０は、図９に示したＲＦ−ＩＤメディア用カバー部材に図７に示した非接触型ＩＣカード２００と同じ構成を有する非接触型ＩＣカードを収容して金属上に載置した状態を示す図である。
【００６８】
まず、図１０（ａ）に示すように、図９に示したＲＦ−ＩＤメディア用カバー部材の収容領域２４ａ，２４ｂに図７に示した非接触型ＩＣカード２００と同じ構成を有する非接触型ＩＣカード２００ａ，２００ｂをそれぞれ収容し、筐体部２２を載置面として金属２９上に載置すると、筐体部２１，２２，２６に収容された磁性流体２７が連通部２３を介して筐体部２２，２６の内部に流れ込み、それにより、金属２９への載置面側となる筐体部２２の内部には磁性流体２７が存在し、金属２９への載置状態における上面側となる筐体部２１の内部には磁性流体２７が存在しない状態となる。また、筐体部２１と筐体部２２との間に設けられた筐体部２６においては、半分が磁性流体２７で埋まることになる。
【００６９】
この状態において、金属２９への載置状態における上面側となる筐体部２１に情報書込／読出装置を近接させると、筐体部２１内には磁性流体２７が存在しないため、情報書込／読出装置にて発生した磁界による電磁誘導によって非接触型ＩＣカード２００ａのアンテナに電流が発生する。一方、金属２９への載置面側となる筐体部２２内及び非接触型ＩＣカード２００ａに対して金属２９側に設けられた筐体部２６内には磁性流体２７が存在しているため、磁性流体２７のシールド効果によって磁束の金属２９側への漏れが小さくなり、それにより、非接触型ＩＣカード２００ａに対して情報の書き込みあるいは読み出しが正確に行われることになる。また、ＲＦ−ＩＤメディア用カバー部材には、収容領域２４ｂに非接触型ＩＣカード２００ｂが収容されているが、情報書込／読出装置と非接触型ＩＣカード２００ｂとの間に介在する筐体部２６内に磁性流体２７が存在しているため、磁性流体２７のシールド効果によって非接触型ＩＣカード２００ｂに届く磁束の量が小さくなり、非接触型ＩＣカード２００ｂのアンテナには電流が流れず、それにより、非接触型ＩＣカード２００ａのアンテナにおいては、非接触型ＩＣカード２００ｂのアンテナによる影響を受けることなく情報書込／読出装置にて発生した磁界のみによる電磁誘導によって電流が流れ、非接触型ＩＣカード２００ａに対して情報の書き込みあるいは読み出しが正確に行われることになる。一方、収容領域２４ｂに収容された非接触型ＩＣカード２００ｂにおいては、上述したように、磁性流体２７のシールド効果によって非接触型ＩＣカード２００ｂに届く磁束の量が小さくなるため、アンテナに電流が流れず、情報の書き込みあるいは読み出しが行われることはない。
【００７０】
また、図１０（ｂ）に示すように、図９に示したＲＦ−ＩＤメディア用カバー部材の収容領域２４ａ，２４ｂに図７に示した非接触型ＩＣカード２００と同じ構成を有する非接触型ＩＣカード２００ａ，２００ｂをそれぞれ収容し、筐体部２１を載置面として金属２９上に載置すると、筐体部２１，２２，２６に収容された磁性流体２７が連通部２３を介して筐体部２１，２６の内部に流れ込み、それにより、金属２９への載置面側となる筐体部２１の内部には磁性流体２７が存在し、金属２９への載置状態における上面側となる筐体部２２の内部には磁性流体２７が存在しない状態となる。また、筐体部２１と筐体部２２との間に設けられた筐体部２６においては、半分が磁性流体２７で埋まることになる。
【００７１】
この状態において、金属２９への載置状態における上面側となる筐体部２２に情報書込／読出装置を近接させると、筐体部２２内には磁性流体２７が存在しないため、情報書込／読出装置にて発生した磁界による電磁誘導によって非接触型ＩＣカード２００ｂのアンテナに電流が発生する。一方、金属２９への載置面側となる筐体部２１内及び非接触型ＩＣカード２００ａに対して金属２９側に設けられた筐体部２６内には磁性流体２７が存在しているため、磁性流体２７のシールド効果によって磁束の金属２９側への漏れが小さくなり、それにより、非接触型ＩＣカード２００ｂに対して情報の書き込みあるいは読み出しが正確に行われることになる。また、ＲＦ−ＩＤメディア用カバー部材には、収容領域２４ａに非接触型ＩＣカード２００ａが収容されているが、情報書込／読出装置と非接触型ＩＣカード２００ａとの間に介在する筐体部２６内に磁性流体２７が存在しているため、磁性流体２７のシールド効果によって非接触型ＩＣカード２００ａに届く磁束の量が小さくなり、非接触型ＩＣカード２００ａのアンテナには電流が流れず、それにより、非接触型ＩＣカード２００ａのアンテナにおいては、非接触型ＩＣカード２００ｂのアンテナによる影響を受けることなく情報書込／読出装置にて発生した磁界のみによる電磁誘導によって電流が流れ、非接触型ＩＣカード２００ｂに対して情報の書き込みあるいは読み出しが正確に行われることになる。一方、収容領域２４ａに収容された非接触型ＩＣカード２００ａにおいては、上述したように、磁性流体２７のシールド効果によって非接触型ＩＣカード２００ａに届く磁束の量が小さくなるため、アンテナに電流が流れず、情報の書き込みあるいは読み出しが行われることはない。
【００７２】
このように、筐体部２１，２２のいずれを金属２９に対する載置面とした場合であっても、筐体部２１，２２のうち金属２９への載置面側の内部に磁性流体２７が存在するとともに、これら２つの筐体部２１，２２の間に設けられた筐体部２６にも磁性流体２７が存在することになるため、２つの収容領域２４ａ，２４ｂに収容された非接触型ＩＣカード２００ａ，２００ｂのうち、情報の書き込みあるいは読み出しを行いたい方が上面側となるようにＲＦ−ＩＤメディア用カバー部材を金属２９上に載置することにより、２つの収容領域２４ａ，２４ｂに収容された非接触型ＩＣカード２００ａ，２００ｂに対して選択的に情報の書き込みや読み出しを行うことができる。
【００７３】
なお、本形態においては、筐体２１，２２，２６に収容される磁性流体２７の量を、筐体部２１，２２，２６の容積と連通部２３の容積とを加算した容積の半分としているが、筐体部２１，２２のいずれか一方の全部に存在し、かつ、他方に存在せず、かつ、筐体部２６の少なくとも一部に一面を覆うように存在する量であればよい。筐体部２１，２２のいずれか一方と筐体２６の少なくとも一部に一面を覆うように存在みに収容される量であればよい。これは、筐体部２１，２２の一方を載置面として載置した場合に、２つの筐体部２１，２２のうち、載置面側となる筐体部及び筐体部２６内にのみ磁性流体２７が存在するようにするためである。
【００７４】
また、本形態においては、２つの筐体部２１，２２の間に設けられた筐体部２６が、中空形状を有して連通部２３を介して筐体部２１，２２と連通し、筐体部２１，２２内に収容された磁性流体２７が流れ込む構成としたが、磁性体を貼付したり塗布したりすることにより固定的に付与する構成としてもよい。
【００７５】
また、上述した４つの実施の形態においては、連通部１３，２３が筐体１１，１２，２１，２２の３辺に設けられているが、筐体１１，２１内と筐体１２，２２内とを連通するものであれば、１つの辺に設けられていればよい。
【００７６】
また、ＲＦ−ＩＤメディアとして非接触型ＩＣカードを例に挙げて説明したが、非接触型ＩＣタグ等、他の形態のものであってもよい。
【図面の簡単な説明】
【００７７】
【図１】本発明のＲＦ−ＩＤメディア用カバー部材の第１の実施の形態を示す図であり、（ａ）は上面図、（ｂ）は（ａ）に示したＡ−Ａ’断面図である。
【図２】図１に示したＲＦ−ＩＤメディア用カバー部材に収容される非接触型ＩＣカードの一構成例を示す図であり、（ａ）は内部構造を示す図、（ｂ）は（ａ）に示したＡ−Ａ’断面図である。
【図３】図１に示したＲＦ−ＩＤメディア用カバー部材に図２に示した非接触型ＩＣカードを収容して金属上に載置した状態を示す図である。
【図４】本発明のＲＦ−ＩＤメディア用カバー部材の第２の実施の形態を示す図であり、（ａ）は上面図、（ｂ）は（ａ）に示したＡ−Ａ’断面図である。
【図５】図４に示したＲＦ−ＩＤメディア用カバー部材に図２に示した非接触型ＩＣカードと同じ構成を有する非接触型ＩＣカードを収容して金属上に載置した状態を示す図である。
【図６】本発明のＲＦ−ＩＤメディア用カバー部材の第３の実施の形態を示す図であり、（ａ）は上面図、（ｂ）は（ａ）に示したＡ−Ａ’断面図である。
【図７】図６に示したＲＦ−ＩＤメディア用カバー部材に収容される非接触型ＩＣカードの一構成例を示す図であり、（ａ）は内部構造を示す図、（ｂ）は（ａ）に示したＡ−Ａ’断面図である。
【図８】図６に示したＲＦ−ＩＤメディア用カバー部材に図７に示した非接触型ＩＣカードを収容して金属上に載置した状態を示す図である。
【図９】本発明のＲＦ−ＩＤメディア用カバー部材の第４の実施の形態を示す図であり、（ａ）は上面図、（ｂ）は（ａ）に示したＡ−Ａ’断面図である。
【図１０】図９に示したＲＦ−ＩＤメディア用カバー部材に図７に示した非接触型ＩＣカードと同じ構成を有する非接触型ＩＣカードを収容して金属上に載置した状態を示す図である。
【図１１】２．４５ＧＨｚの周波数帯を利用して通信を行うＩＣチップが搭載された非接触型ＩＣカードの一例を示す図であり、（ａ）は内部構造を示す図、（ｂ）は（ａ）に示したＡ−Ａ’断面図である。
【図１２】電磁誘導によって情報の書き込みや読み出しを行う非接触型ＩＣカードの一例を示す図であり、（ａ）は内部構造を示す図、（ｂ）は（ａ）に示したＡ−Ａ’断面図である。
【符号の説明】
【００７８】
１１，１２，２１，２２，２６    筐体部
１３，２３    連通部
１４，２４ａ，２４ｂ    収容領域
１５，２５    水
１７，２７    磁性流体
１９，２９    金属
１００，１００ａ，１００ｂ，２００，２００ａ，２００ｂ    非接触型ＩＣカード
１１０，２１０    インレット
１１１，２１１    ＩＣチップ
１１２    アンテナ
１１２ａ，１１２ｂ    導体
１１５    樹脂シート
１２０    カード基材
２１２    アンテナ
２１３    接点
【図１】
0004732041.tif 000002
【図２】
0004732041.tif 000003
【図３】
0004732041.tif 000004
【図４】
0004732041.tif 000005
【図５】
0004732041.tif 000006
【図６】
0004732041.tif 000007
【図７】
0004732041.tif 000008
【図８】
0004732041.tif 000009
【図９】
0004732041.tif 000010
【図１０】
0004732041.tif 000011
【図１１】
0004732041.tif 000012
【図１２】
0004732041.tif 000013